(57)【要約】【課題】簡単な構成で内容器を容易に取り外せるレフィル容器を提供する。【解決手段】レフィル容器１は、内容物を収容する内容器２と、外周壁１１を有する外容器３と、を備え、内容器２は、外周壁１１の内側に配置される内周壁５と、該内周壁５に連結するとともに外周壁１１の上側に配置されるフランジ６と、を有する内壁８を備え、内壁８及び外周壁１１の一方は、周方向に全周に亘って等間隔で並ぶとともに、フランジ６の外縁より内側で内壁８及び外周壁１１の他方と上下方向に当接可能な凸状をなす、奇数個の上凸部９と、奇数個の上凸部９の下方で該奇数個の上凸部９と位置を揃えて周方向に並ぶとともに、内壁８及び外周壁１１の他方と嵌合可能な凸状をなす、奇数個の嵌合凸部１０と、を有する。【選択図】図１
2019099186.tif 000002
【特許請求の範囲】
【請求項１】
内容物を収容する内容器と、
外周壁を有する外容器と、を備え、
前記内容器は、前記外周壁の内側に配置される内周壁と、該内周壁に連結するとともに前記外周壁の上側に配置されるフランジと、を有する内壁を備え、
前記内壁及び前記外周壁の一方は、
周方向に全周に亘って等間隔で並ぶとともに、前記フランジの外縁より内側で前記内壁及び前記外周壁の他方と上下方向に当接可能な凸状をなす、奇数個の上凸部と、
前記奇数個の上凸部の下方で該奇数個の上凸部と位置を揃えて周方向に並ぶとともに、前記内壁及び前記外周壁の前記他方と嵌合可能な凸状をなす、奇数個の嵌合凸部と、を有する、
レフィル容器。
【請求項２】
前記奇数個の上凸部は、前記フランジと前記内周壁との連結部に設けられている、請求項１に記載のレフィル容器。
【請求項３】
前記外周壁の上端面には、該上端面の外縁より内側で全周に亘って凸状をなす環状凸部が設けられており、
前記奇数個の上凸部は、前記環状凸部に当接可能である、請求項１又は２に記載のレフィル容器。
【発明の詳細な説明】
【技術分野】
【０００１】
本開示は、レフィル容器に関する。
【背景技術】
【０００２】
従来、クリーム状等の内容物のレフィル（付け替え）等の目的で用いられる内容器と、内容器を収容する外容器とを有するレフィル容器が知られている。このようなレフィル容器は、内容器を外容器に着脱可能とするための構成を有している。例えば特許文献１では、レフィル容器は、外容器に回動可能に取り付けられる肩カバーを有しており、当該肩カバーを外容器に対して回動させることによって内容器を外容器から取り外せるように構成されている。
【先行技術文献】
【特許文献】
【０００３】
【特許文献１】特開２０１６−１１１３０号公報
【発明の概要】
【発明が解決しようとする課題】
【０００４】
しかし、特許文献１に記載されるようなレフィル容器は、内容器を取り外すためには肩カバーを回動させる必要があり、操作の容易化にさらなる改善の余地があった。また、肩カバーを必要とする点で、構成の簡素化にもさらなる改善の余地があった。
【０００５】
本発明の目的は、簡単な構成で内容器を容易に取り外せるレフィル容器を提供することにある。
【課題を解決するための手段】
【０００６】
本発明の一態様に係るレフィル容器は、
内容物を収容する内容器と、
外周壁を有する外容器と、を備え、
前記内容器は、前記外周壁の内側に配置される内周壁と、該内周壁に連結するとともに前記外周壁の上側に配置されるフランジと、を有する内壁を備え、
前記内壁及び前記外周壁の一方は、
周方向に全周に亘って等間隔で並ぶとともに、前記フランジの外縁より内側で前記内壁及び前記外周壁の他方と上下方向に当接可能な凸状をなす、奇数個の上凸部と、
前記奇数個の上凸部の下方で該奇数個の上凸部と位置を揃えて周方向に並ぶとともに、前記内壁及び前記外周壁の前記他方と嵌合可能な凸状をなす、奇数個の嵌合凸部と、を有する。
【０００７】
本発明に係るレフィル容器は、前記奇数個の上凸部が、前記フランジと前記内周壁との連結部に設けられていてもよい。
【０００８】
本発明に係るレフィル容器は、
前記外周壁の上端面には、該上端面の外縁より内側で全周に亘って凸状をなす環状凸部が設けられていてもよく、
前記奇数個の上凸部は、前記環状凸部に当接可能であってもよい。
【発明の効果】
【０００９】
本発明によれば、簡単な構成で内容器を容易に取り外せるレフィル容器を提供することができる。
【図面の簡単な説明】
【００１０】
【図１】本発明の一実施形態に係るレフィル容器を示す一部断面側面図である。
【図２】図１に示す内容器の側面図である。
【図３】図１に示す内容器の底面図である。
【図４】図１に示す外容器の一部断面側面図である。
【図５】図１に示す内容器を外容器に取り付けた状態で示す縦断面図である。
【図６】図５の一点鎖線で囲まれた部分を拡大して示す部分拡大図である。
【図７】図１に示すレフィル容器に関し、内容器を取り外すために、フランジの外縁における上凸部側部分を押圧したときの様子を示す図である。
【図８】図７に示す状態から内容器を摘み上げた様子を示す図である。
【図９】図１に示すレフィル容器に関し、内容器を取り外すために、フランジの外縁における非上凸部側部分を押圧したときの様子を示す図である。
【図１０】図９に示す状態から内容器を摘み上げた様子を示す図である。
【発明を実施するための形態】
【００１１】
以下、図面を参照して、本発明の実施形態に係るレフィル容器について詳細に例示説明する。本明細書において、上下方向とは、内容器の内周壁の軸方向（中心軸線に沿う方向）を意味する。すなわち、上方とは図１における上方を意味し、下方とは図１における下方を意味する。また、横断面とは、内容器の内周壁の中心軸線と垂直な断面を意味し、縦断面とは、内容器の内周壁の中心軸線を含む断面を意味する。
【００１２】
図１に示すように、本実施形態に係るレフィル容器１（以下、単に容器１ともいう）は、内容物を収容する内容器２と、内容器２を収容する外容器３と、内容器２を閉塞可能な蓋４と、を有している。しかし、容器１は、蓋４を有していなくても構わない。本実施形態では、内容器２は、内容物を使い切ったときなどに交換が可能なレフィル用の容器である。内容物は、クリーム状の化粧料等であってよいが、これに限定されない。また、内容物は、クリーム状のものに限定されず、固形状、粉状又は液状のもの等であってよい。本実施形態では、容器１は、広口の内容物の取出し口を有するとともに高さ方向に短いジャー容器として構成されているが、これに限定されない。例えば、容器１は、細口の内容物の取出し口を有するとともに高さ方向に長いボトル容器として構成されてもよい。
【００１３】
図２〜図３に示すように、内容器２は、円筒状の内周壁５と、内周壁５の上端に一体に連結する円環状のフランジ６と、内周壁５の下端を閉塞する内底壁７と、を有している。また、内周壁５とフランジ６とで内壁８が構成されている。内容器２は、例えば合成樹脂材料の射出成形によって形成された、一体成形品からなっている。しかし、内容器２は、合成樹脂製に限られず、またその製法も射出成形に限られない。また、内容器２は、複数の部材を組み付けることで構成してもよい。内周壁５の形状は円筒状に限られず、例えば、楕円筒状（横断面が楕円形の筒状）又は多角筒状（横断面が多角形の筒状）等であってもよい。フランジ６の形状は円環状に限られず、楕円環状（外縁が楕円形の環状）又は多角環状（外縁が多角形の環状）等であってもよい。また、フランジ６の形状は連続的な環状に限られず、間欠的な環状であってもよい。また、フランジ６は内周壁５の上端に代えて、例えば当該上端よりやや下方の部分に連結していてもよい。内底壁７は、径方向内側に向けて下方に傾斜しつつ肉厚が厚くなる略円錐形状をなしている。また、内底壁７は、内容器２を外容器３に取り付けた状態で、外容器３の外底壁１２に当接するように構成されている（図５参照）。しかし、内底壁７の形状は、適宜変更が可能である。例えば、内底壁７は、底面視中央部のみが下方に突出し、当該突出部が外底壁１２に当接可能な形状をなしていてもよい。
【００１４】
図２〜図３に示すように、内壁８は、周方向に全周に亘って等間隔で並ぶ５個の上凸部９と、５個の上凸部９の下方で当該５個の上凸部９と位置を揃えて周方向に並ぶ５個の嵌合凸部１０と、を有している。上凸部９及び嵌合凸部１０の個数は、５個に限られず、奇数個であればよい。その中でも、３個、５個又は７個が好ましい。５個の上凸部９は、フランジ６の外縁より内側で外容器３の外周壁１１と上下方向に当接可能な凸状をなしている。また、５個の上凸部９は、フランジ６と内周壁５との連結部に設けられている。本実施形態では、各上凸部９は、下方に向けて径方向内側に傾斜する稜線を有する１つの突起からなっている。しかし、各上凸部９の形状は適宜変更が可能である。例えば、各上凸部９は、周方向に並ぶ２つ以上の突起からなっていてもよい。５個の嵌合凸部１０は、内周壁５に設けられている。また、５個の嵌合凸部１０は、外容器３の外周壁１１と嵌合可能な凸状をなしている。本実施形態では、各嵌合凸部１０は、周方向中央に向けて突出高さが徐々に増加する底面視三角形状をなしている（図３参照）。また、各嵌合凸部１０は、径方向外側に向けて厚みが低減する先細形状をなしている（図２参照）。内壁８は、内容器２の取り付け状態において、５個の上凸部９及び５個の嵌合凸部１０を除く部分が外容器３の外周壁１１と接触しないように構成されている。
【００１５】
外容器３の形状は、内容器２の形状に合わせて設定される。或いは、内容器２の形状は、外容器３の形状に合わせて設定される。本実施形態では、図４に示すように、外容器３は、円筒状の外周壁１１と、外周壁１１の下端に連結する円板状の外底壁１２と、を有している。しかし、外周壁１１の形状は円筒状に限られず、例えば、楕円筒状（横断面が楕円形の筒状）又は多角筒状（横断面が多角形の筒状）等であってもよい。外底壁１２の形状は、適宜変更が可能である。本実施形態では、外周壁１１は、蓋４と係合可能な雄ねじ１３を有する口部１１ａと、口部１１ａより拡径された外径を有する胴部１１ｂとを有している。口部１１ａと蓋４とは、このような雄ねじ１３によって互いに係合する構成に限られず、例えば互いに嵌合する構成としてもよい。本実施形態では、口部１１ａの外周面と胴部１１ｂの上端面とにより、円環状の段部１４が形成されている。また、口部１１ａの内周面は胴部１１ｂの内周面に段差なく連続しており、口部１１ａの内径は胴部１１ｂの内径と実質的に同一となっている。口部１１ａの内周面には、５個の嵌合凸部１０と嵌合可能な円環状の嵌合部１５が設けられている。嵌合部１５は、本実施形態では、周方向に全周に亘って設けられた凸部からなっている。嵌合部１５は、このような凸部に代えて、凹部又は段部からなっていてもよい。また、嵌合部１５は、口部１１ａの内周面に代えて、胴部１１ｂの内周面に設けてもよい。本実施形態では、外周壁１１の上端面１６には、該上端面１６の外縁より内側で全周に亘って凸状をなす環状凸部１６ａが設けられている。５個の上凸部９は、当該環状凸部１６ａに当接可能である。本実施形態では、５個の上凸部９は、図１に示すように蓋４の取り付け状態において、環状凸部１６ａに当接することで、内容器２のそれ以上の沈み込みを阻止している。外容器３は、合成樹脂、金属、ガラス等の任意の材料からなる単一又は複数の部材によって構成することができる。
【００１６】
外容器３の内側に内容器２を挿入し、図５〜図６に示すように、５個の嵌合凸部１０に嵌合部１５を下方へ乗り越えさせることにより、内容器２を外容器３に取り付けることができる。本実施形態では、内容器２を外容器３に取り付けた状態では、５個の上凸部９が環状凸部１６ａに当接し、内底壁７が外底壁１２に当接している。しかし、内容器２を外容器３に取り付けた状態で５個の上凸部９が環状凸部１６ａに当接し、内底壁７が外底壁１２に当接しない構成としてもよいし、内容器２を外容器３に取り付けた状態で５個の上凸部９が環状凸部１６ａに当接せず、内底壁７が外底壁１２に当接する構成としてもよい。また、本実施形態では、５個の嵌合凸部１０は、内容器２を外容器３に取り付けた状態で、内容器２の上方への移動を規制可能に、嵌合部１５と嵌合している。しかし、５個の嵌合凸部１０は、内容器２を外容器３に取り付けた状態で嵌合部１５の下側に間隔を空けて位置するように構成されてもよい。
【００１７】
図１に示すように、蓋４は、口部１１ａの雄ねじ１３と係合可能な雌ねじ１７を有する円筒状の装着筒１８ａと、装着筒１８ａの上端を閉塞する天壁１８ｂと、を有する蓋本体１８を備えている。装着筒１８ａは、外容器３の段部１４に配置されるように構成されており、胴部１１ｂの外径と同一の外径を有している。しかし、蓋本体１８の形状は適宜変更が可能である。また、蓋４は、天壁１８ｂの下面に配置された円盤状のパッキン１９を備えている。パッキン１９は、蓋４の取り付け時にフランジ６に当接し、内容器２の開口部を閉塞する。パッキン１９の形状又は配置は適宜変更が可能である。蓋４は、パッキン１９を有していなくてもよい。蓋本体１８は、合成樹脂、金属、ガラス等の任意の材料からなる単一又は複数の部材によって構成することができる。
【００１８】
本実施形態に係るレフィル容器１は、例えば以下の要領によって、内容器２を外容器３から取り外すことができる。蓋４を取り外した状態で、使用者は、内容器２を外容器３から取り外すために、まず、内容器２のフランジ６の外縁を下方に押圧する。このとき、使用者が、図７に示すように、フランジ６の外縁における上凸部９側部分（すなわち、周方向において上凸部９が形成されている部分）を押圧した場合には、内周壁５の中心軸線を挟んだ当該押圧部の対向部分には嵌合凸部１０がないため、当該対向部分における内周壁５の下部が外周壁１１に近づくように内容器２が傾かせられて、嵌合部１５と５個の嵌合凸部１０との嵌合が解け、前記対向部分におけるフランジ６が浮き上がり、この浮き上がったフランジ６と外周壁１１の上端面１６との間の隙間が拡大する。したがって、図８に示すように、内容器２を容易に摘み上げることができる。一方、使用者が、図９に示すように、フランジ６の外縁における非上凸部９側部分（すなわち、周方向において上凸部９が形成されていない部分）を押圧した場合には、当該押圧部には上凸部９がないため、当該押圧部における内周壁５の上部が外周壁１１に近づくように内容器２が傾かせられて、嵌合部１５と５個の嵌合凸部１０との嵌合が解け、内周壁５の中心軸線を挟んだ当該押圧部の対向部分におけるフランジ６が浮き上がり、この浮き上がったフランジ６と外周壁１１の上端面１６との間の隙間が拡大する。したがって、図１０に示すように、内容器２を容易に摘み上げることができる。
【００１９】
特に、本実施形態では、５個の上凸部９がフランジ６と内周壁５との連結部に設けられているので、フランジ６の外縁を押圧したときに内容器２を容易に傾かせることができる。また、本実施形態では、５個の上凸部９が環状凸部１６ａに当接可能であるので、フランジ６と外周壁１１の上端面１６との間の隙間を確保し易く、もって、内容器２の取り外しを容易にすることができる。
【００２０】
前記の説明は、本発明の一実施形態を示したものにすぎず、特許請求の範囲を限定するものではない。前記の実施形態は、本開示の基礎的事項に基づいて、例えば以下のような、種々の変更が可能である。
【００２１】
前記の実施形態では、５個の上凸部９は、フランジ６と内周壁５との連結部に設けられている。しかし、５個の上凸部９は、フランジ６の下面、又は内周壁５の外周面に設けてもよい。また、前記の実施形態では、５個の上凸部９は、外周壁１１の上端面１６に設けられた環状凸部１６ａに当接可能に設けられている。しかし、５個の上凸部９は、環状凸部１６ａを有さない外周壁１１の上端面１６に当接可能に設けてもよい。
【００２２】
また、前記の実施形態では、５個の上凸部９及び５個の嵌合凸部１０は、内容器２の内壁８に設けられている。しかし、５個の上凸部９及び５個の嵌合凸部１０は、外容器３の外周壁１１に設けてもよい。この場合、例えば、外周壁１１は、上端面１６において周方向に全周に亘って等間隔で並ぶとともに、フランジ６の外縁より内側で内壁８（フランジ６）と上下方向に当接可能な凸状をなす、奇数個の上凸部と、外周壁１１の内周面において、当該奇数個の上凸部の下方で当該奇数個の上凸部と位置を揃えて周方向に並ぶとともに、内壁８に設けられた環状の嵌合部と嵌合可能な凸状をなす、奇数個の嵌合凸部と、を有する構成とすることができる。
【符号の説明】
【００２３】
１  レフィル容器
２  内容器
３  外容器
４  蓋
５  内周壁
６  フランジ
７  内底壁
８  内壁
９  上凸部
１０  嵌合凸部
１１  外周壁
１１ａ  口部
１１ｂ  胴部
１２  外底壁
１３  雄ねじ
１４  段部
１５  嵌合部
１６  外周壁の上端面
１６ａ  環状凸部
１７  雌ねじ
１８  蓋本体
１８ａ  装着筒
１８ｂ  天壁
１９  パッキン
【図１】
2019099186.tif 000003
【図２】
2019099186.tif 000004
【図３】
2019099186.tif 000005
【図４】
2019099186.tif 000006
【図５】
2019099186.tif 000007
【図６】
2019099186.tif 000008
【図７】
2019099186.tif 000009
【図８】
2019099186.tif 000010
【図９】
2019099186.tif 000011
【図１０】
2019099186.tif 000012